(57)【要約】【課題】カードの磁気ストライプに記録された磁気データの不正な読取りを妨害するための磁界を発生させる妨害磁界発生機構を備えるカードリーダにおいて、妨害磁界発生機構が発生させる磁界の強度を高めても、磁気ストライプに記録された磁気データが消去されるおそれを低減することが可能なカードリーダを提供する。【解決手段】カードリーダ１は、磁気ストライプを有するカード２が挿入されるカード挿入口３と、カード挿入口３から挿入されたカード２が移動するカード移動路６と、カード２の磁気ストライプに記録された磁気データの不正な読取りを妨害するための磁界を発生させる妨害磁界発生機構１１と、妨害磁界発生機構１１が発する磁気を遮るための磁気遮蔽部材１２とを備えている。カードリーダ１では、磁気遮蔽部材１２は、カード移動路６を移動するカード２の磁気ストライプと妨害磁界発生機構１１との間に配置されている。【選択図】図１
2019053648.tif 000002
【特許請求の範囲】
【請求項１】
磁気ストライプを有するカードが挿入されるカード挿入口と、前記カード挿入口から挿入された前記カードが移動するカード移動路と、前記磁気ストライプに記録された磁気データの不正な読取りを妨害するための磁界を発生させる妨害磁界発生機構と、前記妨害磁界発生機構が発する磁気を遮るための磁気遮蔽部材とを備え、
前記磁気遮蔽部材は、前記カード移動路を移動する前記カードの前記磁気ストライプと前記妨害磁界発生機構との間に配置されていることを特徴とするカードリーダ。
【請求項２】
前記妨害磁界発生機構は、前記カード移動路を移動する前記カードの厚さ方向において、前記カード移動路よりも一方側に配置され、
前記磁気遮蔽部材の少なくとも一部は、前記カードの厚さ方向において、前記カード移動路と前記妨害磁界発生機構との間に配置され、
前記磁気遮蔽部材は、前記カードの厚さ方向から見たときに、前記カード移動路を移動する前記カードの前記磁気ストライプの少なくとも一部と重なる位置に配置されていることを特徴とする請求項１記載のカードリーダ。
【請求項３】
前記磁気遮蔽部材は、軟磁性材料で形成されていることを特徴とする請求項１または２記載のカードリーダ。
【請求項４】
前記磁気遮蔽部材は、前記妨害磁界発生機構に固定されていることを特徴とする請求項１から３のいずれかに記載のカードリーダ。
【請求項５】
前記カード移動路を移動する前記カードの移動方向を前後方向とし、前後方向のうちの前記カード挿入口からの前記カードの排出方向側を前側とし、前記カード挿入口への前記カードの挿入方向側を後ろ側とすると、
前記磁気遮蔽部材の少なくとも一部は、前記カードの厚さ方向から見たときに、前記妨害磁界発生機構の少なくとも一部と重なっており、
前記磁気遮蔽部材の前後方向の長さは、前記妨害磁界発生機構の前後方向の長さ以上となっており、
前記磁気遮蔽部材の前端は、前記妨害磁界発生機構の前端と前後方向で同じ位置に配置されているか、または、前記妨害磁界発生機構の前端よりも前側に配置され、
前記磁気遮蔽部材の後端は、前記妨害磁界発生機構の後端と前後方向で同じ位置に配置されているか、または、前記妨害磁界発生機構の後端よりも後ろ側に配置されていることを特徴とする請求項１から４のいずれかに記載のカードリーダ。
【請求項６】
前記磁気ストライプは、前記カード移動路を移動する前記カードの移動方向に細長い帯状に形成され、
前記カード移動路を移動する前記カードの厚さ方向と前記カードの移動方向とに直交する前記カードの幅方向における前記磁気遮蔽部材の幅は、前記カードの幅方向における前記磁気ストライプの幅以上となっており、
前記磁気遮蔽部材は、前記カードの厚さ方向から見たときに、前記カードの幅方向において、前記カード移動路を移動する前記カードの前記磁気ストライプの全体と重なる位置に配置されていることを特徴とする請求項１から５のいずれかに記載のカードリーダ。
【請求項７】
前記カードの幅方向における前記磁気遮蔽部材の幅は、前記カードの幅方向における前記磁気ストライプの幅と等しくなっていることを特徴とする請求項６記載のカードリーダ。
【請求項８】
前記カード移動路を移動する前記カードの移動方向を前後方向とし、前後方向のうちの前記カード挿入口からの前記カードの排出方向側を前側とし、前記カード挿入口への前記カードの挿入方向側を後ろ側とすると、
前記磁気遮蔽部材は、前記カードの厚さ方向において前記カード移動路と前記妨害磁界発生機構との間に配置される平板状またはシート状の基部と、前記基部の後端から前記妨害磁界発生機構側に向かって立ち上がるとともに前記妨害磁界発生機構の後端の少なくとも一部を覆う平板状またはシート状の立上部とから構成されていることを特徴とする請求項１から７のいずれかに記載のカードリーダ。
【発明の詳細な説明】
【技術分野】
【０００１】
本発明は、カードに記録された磁気データの読取りやカードへの磁気データの記録を行うカードリーダに関する。
【背景技術】
【０００２】
従来、犯罪者がカードリーダのカード挿入部に磁気ヘッドを取り付けて、この磁気ヘッドでカードの磁気データを不正に取得するいわゆるスキミングを阻止することが可能なカードリーダが知られている（たとえば、特許文献１参照）。特許文献１に記載のカードリーダは、スキミング用の磁気ヘッド（以下、「スキミング用磁気ヘッド」とする。）での磁気データの読取りを阻止するための妨害磁界を発生させる妨害磁界発生機構を備えている。
【０００３】
特許文献１に記載のカードリーダでは、カードの挿入口にカードが挿入されてカードリーダにカードが取り込まれるとき、および、カードの挿入口からカードが排出されるときに、スキミング用磁気ヘッドが取り付けられると想定される領域に対して、妨害磁界発生機構が妨害磁界を発生させている。そのため、このカードリーダでは、スキミングを阻止することが可能となっている。
【先行技術文献】
【特許文献】
【０００４】
【特許文献１】国際公開第２０１５／１３３５６７号
【発明の概要】
【発明が解決しようとする課題】
【０００５】
本願発明者は、犯罪者によるスキミングをより効果的に防止するために、また、カードの挿入口から遠い位置にスキミング用磁気ヘッドが取り付けられた場合でもスキミングを防止することを可能にするために、妨害磁界発生機構が発生させる妨害磁界の強度を高めることを検討している。しかしながら、本願発明者の検討によると、妨害磁界発生機構が発生させる妨害磁界の強度を高めると、カードの磁気ストライプに記録された磁気データが妨害磁界の影響で消去されるおそれがあることが明らかになった。
【０００６】
そこで、本発明の課題は、カードの磁気ストライプに記録された磁気データの不正な読取りを妨害するための磁界を発生させる妨害磁界発生機構を備えるカードリーダにおいて、妨害磁界発生機構が発生させる磁界の強度を高めても、磁気ストライプに記録された磁気データが消去されるおそれを低減することが可能なカードリーダを提供することにある。
【課題を解決するための手段】
【０００７】
上記の課題を解決するため、本発明のカードリーダは、磁気ストライプを有するカードが挿入されるカード挿入口と、カード挿入口から挿入されたカードが移動するカード移動路と、磁気ストライプに記録された磁気データの不正な読取りを妨害するための磁界を発生させる妨害磁界発生機構と、妨害磁界発生機構が発する磁気を遮るための磁気遮蔽部材とを備え、磁気遮蔽部材は、カード移動路を移動するカードの磁気ストライプと妨害磁界発生機構との間に配置されていることを特徴とする。
【０００８】
本発明のカードリーダでは、妨害磁界発生機構が発する磁気を遮るための磁気遮蔽部材が、カード移動路を移動するカードの磁気ストライプと妨害磁界発生機構との間に配置されている。そのため、本発明では、妨害磁界発生機構が発生させる磁界（妨害磁界）の強度を高めても、磁気ストライプに記録された磁気データに妨害磁界が及ぼす影響を磁気遮蔽部材によって低減することが可能になる。したがって、本発明では、妨害磁界発生機構が発生させる磁界の強度を高めても、磁気ストライプに記録された磁気データが消去されるおそれを低減することが可能になる。
【０００９】
本発明において、たとえば、妨害磁界発生機構は、カード移動路を移動するカードの厚さ方向において、カード移動路よりも一方側に配置され、磁気遮蔽部材の少なくとも一部は、カードの厚さ方向において、カード移動路と妨害磁界発生機構との間に配置され、磁気遮蔽部材は、カードの厚さ方向から見たときに、カード移動路を移動するカードの磁気ストライプの少なくとも一部と重なる位置に配置されている。また、本発明において、たとえば、磁気遮蔽部材は、軟磁性材料で形成されている。
【００１０】
本発明において、磁気遮蔽部材は、妨害磁界発生機構に固定されていることが好ましい。このように構成すると、カードリーダの組立時に、予め磁気遮蔽部材が固定された妨害磁界発生機構を設置すれば、磁気遮蔽部材も設置されるため、磁気遮蔽部材の設置が容易になる。
【００１１】
本発明において、カード移動路を移動するカードの移動方向を前後方向とし、前後方向のうちのカード挿入口からのカードの排出方向側を前側とし、カード挿入口へのカードの挿入方向側を後ろ側とすると、磁気遮蔽部材の少なくとも一部は、カードの厚さ方向から見たときに、妨害磁界発生機構の少なくとも一部と重なっており、磁気遮蔽部材の前後方向の長さは、妨害磁界発生機構の前後方向の長さ以上となっており、磁気遮蔽部材の前端は、妨害磁界発生機構の前端と前後方向で同じ位置に配置されているか、または、妨害磁界発生機構の前端よりも前側に配置され、磁気遮蔽部材の後端は、妨害磁界発生機構の後端と前後方向で同じ位置に配置されているか、または、妨害磁界発生機構の後端よりも後ろ側に配置されていることが好ましい。
【００１２】
このように構成すると、上下方向から見たときに、妨害磁界発生機構の少なくとも一部の前後方向の全体が磁気遮蔽部材と重なっているため、妨害磁界発生機構が発生させる磁界（妨害磁界）の強度を高めても、磁気ストライプに記録された磁気データに妨害磁界が及ぼす影響を磁気遮蔽部材によって効果的に低減することが可能になる。したがって、妨害磁界発生機構が発生させる磁界の強度を高めても、磁気ストライプに記録された磁気データが消去されるおそれを効果的に低減することが可能になる。
【００１３】
本発明において、磁気ストライプは、カード移動路を移動するカードの移動方向に細長い帯状に形成され、カード移動路を移動するカードの厚さ方向とカードの移動方向とに直交するカードの幅方向における磁気遮蔽部材の幅は、カードの幅方向における磁気ストライプの幅以上となっており、磁気遮蔽部材は、カードの厚さ方向から見たときに、カードの幅方向において、カード移動路を移動するカードの磁気ストライプの全体と重なる位置に配置されていることが好ましい。
【００１４】
このように構成すると、妨害磁界発生機構が発生させる磁界（妨害磁界）の強度を高めても、磁気ストライプに記録された磁気データに妨害磁界が及ぼす影響を磁気遮蔽部材によって効果的に低減することが可能になる。したがって、妨害磁界発生機構が発生させる磁界の強度を高めても、磁気ストライプに記録された磁気データが消去されるおそれを効果的に低減することが可能になる。
【００１５】
また、この場合には、カードの幅方向における磁気遮蔽部材の幅は、カードの幅方向における磁気ストライプの幅と等しくなっていることが好ましい。このように構成すると、カードの幅方向における磁気遮蔽部材の幅が、カードの幅方向における磁気ストライプの幅よりも広くなっている場合と比較して、スキミングを阻止するための妨害磁界の強度が磁気遮蔽部材の影響で低下するのを抑制することが可能になる。
【００１６】
本発明において、カード移動路を移動するカードの移動方向を前後方向とし、前後方向のうちのカード挿入口からのカードの排出方向側を前側とし、カード挿入口へのカードの挿入方向側を後ろ側とすると、磁気遮蔽部材は、カードの厚さ方向においてカード移動路と妨害磁界発生機構との間に配置される平板状またはシート状の基部と、基部の後端から妨害磁界発生機構側に向かって立ち上がるとともに妨害磁界発生機構の後端の少なくとも一部を覆う平板状またはシート状の立上部とから構成されていることが好ましい。
【００１７】
このように構成すると、妨害磁界発生機構の後端の少なくとも一部を覆う立上部を利用して、妨害磁界発生機構の後ろ側で磁気ストライプの磁気データに妨害磁界が及ぼす影響を効果的に低減することが可能になる。したがって、妨害磁界発生機構が発生させる磁界の強度を高めても、磁気ストライプに記録された磁気データが消去されるおそれを効果的に低減することが可能になる。また、スキミング用磁気ヘッドは、カードリーダの前方に取り付けられることが多いが、このように構成すると、妨害磁界発生機構の前端が磁気遮蔽部材に覆われていないため、スキミングを阻止するための妨害磁界の強度が磁気遮蔽部材の影響で低下するのを抑制することが可能になる。
【発明の効果】
【００１８】
以上のように、本発明では、カードの磁気ストライプに記録された磁気データの不正な読取りを妨害するための磁界を発生させる妨害磁界発生機構を備えるカードリーダにおいて、妨害磁界発生機構が発生させる磁界の強度を高めても、磁気ストライプに記録された磁気データが消去されるおそれを低減することが可能になる。
【図面の簡単な説明】
【００１９】
【図１】本発明の実施の形態にかかるカードリーダの前端側部分の構成を説明するための側面図である。
【図２】図１に示す妨害磁界発生機構および磁気遮蔽部材の構成を説明するための平面図である。
【図３】図２に示す妨害磁界発生機構および磁気遮蔽部材の構成を説明するための側面図である。
【発明を実施するための形態】
【００２０】
以下、図面を参照しながら、本発明の実施の形態を説明する。
【００２１】
（カードリーダの構成）
図１は、本発明の実施の形態にかかるカードリーダ１の前端側部分の構成を説明するための側面図である。図２は、図１に示す妨害磁界発生機構１１および磁気遮蔽部材１２の構成を説明するための平面図である。図３は、図２に示す妨害磁界発生機構１１および磁気遮蔽部材１２の構成を説明するための側面図である。
【００２２】
本形態のカードリーダ１は、カード２に記録された磁気データの読取りやカード２への磁気データの記録を行うための装置であり、たとえば、ＡＴＭ等の所定の上位装置に搭載されて使用される。このカードリーダ１は、カード２が挿入されるカード挿入口３が形成されるカード挿入部４と、本体部５とを備えている。カードリーダ１の内部には、カード挿入口３から挿入されたカード２が移動するカード移動路６が形成されている。
【００２３】
カード２は、カード移動路６を直線的に移動する。以下の説明では、カード移動路６を移動するカード２の移動方向（図１等のＸ方向）を「前後方向」とする。また、カード移動路６を移動するカード２の厚さ方向（図１等のＺ方向）を「上下方向」とし、カード２の移動方向（前後方向）とカード２の厚さ方向（上下方向）とに直交するカード２の幅方向（図１等のＹ方向）を「左右方向」とする。
【００２４】
また、前後方向のうちのカード挿入口３からのカード２の排出方向側である図１等のＸ１方向側を「前」側とし、カード挿入口３へのカード２の挿入方向側である図１等のＸ２方向側を「後ろ」側とする。また、上下方向の一方側である図１等のＺ１方向側を「上」側とし、その反対側である図１等のＺ２方向側を「下」側とし、左右方向の一方側である図２等のＹ１方向側を「右」側とし、その反対側である図２等のＹ２方向側を「左」側とする。
【００２５】
カード２は、たとえば、厚さが０．７〜０．８ｍｍ程度の略長方形状の塩化ビニール製のカードである。このカード２の裏面には、磁気データが記録される磁気ストライプ２ａが形成されている。磁気ストライプ２ａは、略長方形状に形成されるカード２の長手方向に沿う細長い帯状に形成されている。なお、カード２には、ＩＣチップが内蔵されていても良い。また、カード２は、厚さが０．１８〜０．３６ｍｍ程度のＰＥＴ（ポリエチレンテレフタレート）カードであっても良いし、所定の厚さの紙カード等であっても良い。
【００２６】
カード２は、カード２の裏面が下側を向いた状態で、カードリーダ１に挿入されて、カード移動路６を移動する。また、カード２は、カード２の長手方向と前後方向とが略一致した状態で、カードリーダ１に挿入されて、カード移動路６を移動する。すなわち、磁気ストライプ２ａは、カード移動路６を移動するカード２の移動方向（前後方向）に細長い帯状に形成されている。カード挿入部４は、本体部５の前端面に取り付けられている。カード挿入口３は、カード挿入部４の前端に形成されている。カード挿入部４は、中空状に形成されている。
【００２７】
本体部５の内部には、カード２に記録された磁気データの読取りおよびカード２への磁気データの記録の少なくともいずれか一方を行う磁気ヘッド７が配置されている。磁気ヘッド７は、カード移動路６に下側から臨むように配置されている。具体的には、磁気ヘッド７は、磁気ヘッド７のギャップ部がカード移動路６に下側から臨むように配置されている。また、磁気ヘッド７は、左右方向において、カード２の磁気ストライプ２ａが通過する位置に配置されている。
【００２８】
また、本体部５の内部には、カード移動路６でカード２を搬送するための駆動ローラ８およびパッドローラ９が配置されている。駆動ローラ８とパッドローラ９とは、上下方向で対向配置されている。駆動ローラ８には、ベルトやプーリ等の動力伝達機構を介してモータが連結されている。パッドローラ９は、駆動ローラ８に向かって付勢されている。カード２は、駆動ローラ８とパッドローラ９との間に挟まれた状態で搬送される。
【００２９】
また、カードリーダ１は、カード２の磁気ストライプ２ａに記録された磁気データの不正な読取りを妨害するための磁界を発生させる妨害磁界発生機構１１と、妨害磁界発生機構１１が発する磁気を遮るための磁気遮蔽部材１２とを備えている。妨害磁界発生機構１１および磁気遮蔽部材１２は、中空状に形成されるカード挿入部４の内部に配置されている。また、妨害磁界発生機構１１および磁気遮蔽部材１２は、カード移動路６よりも上側に配置されている。
【００３０】
妨害磁界発生機構１１は、軟磁性材料で形成されるコア１５と、コア１５に巻回される励磁用の４個のコイル１６〜１９と、コア１５およびコイル１６〜１９が収容されるケース体２０とを備えている。ケース体２０は、非磁性の樹脂材料で形成されている。また、ケース体２０は、上下方向の厚さが薄い扁平な直方体の箱状に形成されている。ケース体２０の左右方向の幅は、カード移動路６を移動するカード２の磁気ストライプ２ａの左右方向の幅よりも広くなっている。すなわち、妨害磁界発生機構１１の左右方向の幅は、カード移動路６を移動するカード２の磁気ストライプ２ａの左右方向の幅よりも広くなっている。なお、図２、図３では、ケース体２０の図示を省略している。
【００３１】
コア１５は、前後方向を長手方向として配置される棒状の第１コア部１５ａ、第２コア部１５ｂ、第３コア部１５ｃおよび第４コア部分１５ｄと、左右方向を長手方向として配置され第１〜第４コア部分１５ａ〜１５ｄの後端同士を繋ぐ棒状の連結コア部１５ｅとから構成されている。第１コア部１５ａと第２コア部１５ｂと第３コア部１５ｃと第４コア部分１５ｄとは、右側から左側に向かってこの順番で、かつ、左右方向で互いに間隔をあけた状態で配置されている。コア１５の左右方向の幅は、カード移動路６を移動するカード２の磁気ストライプ２ａの左右方向の幅よりも広くなっている。
【００３２】
第１コア部１５ａには、コイル１６が巻回され、第２コア部１５ｂには、コイル１７が巻回され、第３コア部１５ｃには、コイル１８が巻回され、第４コア部１５ｄには、コイル１９が巻回されている。具体的には、コイル１６〜１９は、図示を省略するボビンを介して第１コア部１５ａ〜第４コア部１５ｄに前後方向を巻回の軸方向として巻回されている。本形態では、たとえば、第２コア部１５ｂおよびコイル１７が左右方向において、カード移動路６を移動するカード２の磁気ストライプ２ａが通過する位置に配置されている。コイル１６とコイル１８とは直列に接続され、コイル１７とコイル１９とは直列に接続されている。コイル１６の巻回方向とコイル１８の巻回方向とは逆方向になっている。また、コイル１７の巻回方向とコイル１９の巻回方向とは逆方向になっている。
【００３３】
図示を省略する電源からコイル１６、１８に電流が供給されると、磁力線ＭＬ１の向きが第１コア部１５ａの前端面１５ｆから第３コア部１５ｃの前端面１５ｇに向かう方向と前端面１５ｇから前端面１５ｆに向かう方向とに変動する妨害磁界（交流磁界）が発生する。同様に、図示を省略する電源からコイル１７、１８に電流が供給されると、磁力線ＭＬ２の向きが第２コア部１５ｂの前端面１５ｈから第４コア部１５ｄの前端面１５ｊに向かう方向と前端面１５ｊから前端面１５ｈに向かう方向とに変動する妨害磁界（交流磁界）が発生する。本形態では、磁力線ＭＬ１が、左右方向において、カード移動路６を移動するカード２の磁気ストライプ２ａが通過する位置を横切っている。
【００３４】
なお、コイル１６、１８に電流が供給されると、磁力線の向きが第１コア部１５ａの前端面１５ｆから連結コア部１５ｅの後端面に向かう方向と連結コア部１５ｅの後端面から前端面１５ｆに向かう方向とに変動する漏れ磁界、および、磁力線の向きが第３コア部１５ｃの前端面１５ｇから連結コア部１５ｅの後端面に向かう方向と連結コア部１５ｅの後端面から前端面１５ｇに向かう方向とに変動する漏れ磁界等が発生することがある。
【００３５】
同様に、コイル１７、１９に電流が供給されると、磁力線の向きが第２コア部１５ｂの前端面１５ｈから連結コア部１５ｅの後端面に向かう方向と連結コア部１５ｅの後端面から前端面１５ｈに向かう方向とに変動する漏れ磁界、および、磁力線の向きが第４コア部１５ｄの前端面１５ｊから連結コア部１５ｅの後端面に向かう方向と連結コア部１５ｅの後端面から前端面１５ｊに向かう方向とに変動する漏れ磁界等が発生することがある。
【００３６】
磁気遮蔽部材１２は、薄板状またはシート状に形成されている。磁気遮蔽部材１２の厚さは、０．１（ｍｍ）〜１（ｍｍ）程度となっている。また、磁気遮蔽部材１２は、軟磁性材料で形成されている。たとえば、磁気遮蔽部材１２は、パーマロイで形成されている。あるいは、磁気遮蔽部材１２は、電磁鋼板等の鋼板で形成されている。磁気遮蔽部材１２は、妨害磁界発生機構１１に固定されている。具体的には、磁気遮蔽部材１２は、ケース体２０に固定されている。磁気遮蔽部材１２は、カード移動路６を移動するカード２の磁気ストライプ２ａと妨害磁界発生機構１１との間に配置されている。
【００３７】
磁気遮蔽部材１２は、上下方向においてカード移動路６と妨害磁界発生機構１１との間に配置される平板状またはシート状の基部１２ａと、基部１２ａの後端から上側に向かって立ち上がる（すなわち、妨害磁界発生機構１１側に向かって立ち上がる）平板状またはシート状の立上部１２ｂとから構成されている。基部１２ａは、前後方向に細長い長方形状に形成されている。立上部１２ｂは、長方形状に形成されている。基部１２ａの左右方向の幅と立上部１２ｂの左右方向の幅とは等しくなっている。
【００３８】
基部１２ａは、上述のように、上下方向においてカード移動路６と妨害磁界発生機構１１との間に配置されている。すなわち、磁気遮蔽部材１２の一部は、上下方向においてカード移動路６と妨害磁界発生機構１１との間に配置されている。また、上述のように、磁気遮蔽部材１２は、ケース体２０に固定されている。具体的には、基部１２ａは、ケース体２０の下面に固定され、立上部１２ｂは、ケース体２０の後面に固定されている。立上部１２ｂは、ケース体２０の後面の下端部を覆っている。すなわち、立上部１２ｂは、妨害磁界発生機構１１の後端の一部を覆っている。
【００３９】
図２に示すように、磁気遮蔽部材１２の一部である基部１２ａは、上下方向から見たときに、第２コア部１５ｂの一部、コイル１７の一部および連結コア部１５ｅの一部と重なっている。すなわち、磁気遮蔽部材１２の一部は、上下方向から見たときに、妨害磁界発生機構１１の一部と重なっている。磁気遮蔽部材１２の前後方向の長さは、妨害磁界発生機構１１の前後方向の長さ以上となっている。本形態では、磁気遮蔽部材１２の前後方向の長さは、妨害磁界発生機構１１の前後方向の長さよりも長くなっている。具体的には、磁気遮蔽部材１２の前後方向の長さは、コア１５の前後方向の長さよりも長くなっている。また、磁気遮蔽部材１２の前後方向の長さは、ケース体２０の前後方向の長さよりも長くなっている。
【００４０】
磁気遮蔽部材１２の前端は、妨害磁界発生機構１１の前端と前後方向で同じ位置に配置されている（図１参照）。具体的には、基部１２ａの前端は、ケース体２０の前端と前後方向で同じ位置に配置されている。磁気遮蔽部材１２の後端は、妨害磁界発生機構１１の後端よりも後ろ側に配置されている。具体的には、立上部１２ｂの後面は、ケース体２０の後面よりも後ろ側に配置されている。
【００４１】
磁気遮蔽部材１２の左右方向の幅は、磁気ストライプ２ａの左右方向の幅以上となっている。本形態では、磁気遮蔽部材１２の左右方向の幅は、磁気ストライプ２ａの左右方向の幅と等しくなっている。磁気遮蔽部材１２は、カード移動路６を移動するカード２の磁気ストライプ２ａが通過する位置の上側に配置されている。また、磁気遮蔽部材１２は、上下方向から見たときに、カード移動路６を移動するカード２の磁気ストライプ２ａと重なる位置に配置されている。具体的には、磁気遮蔽部材１２は、上下方向から見たときに、カード移動路６を移動するカード２の磁気ストライプ２ａの左右方向の全体と重なる位置に配置されている（図２参照）。
【００４２】
以上のように構成されたカードリーダ１では、カード挿入口３からカード２が挿入されてカードリーダ１の内部にカード２が取り込まれる際、および、カード挿入口３からカード２が排出される際に妨害磁界発生機構１１が妨害磁界を発生させる。また、カード挿入口３からカード２が挿入されてカードリーダ１の内部にカード２が取り込まれる際には、たとえば、カード挿入口３に挿入されたカード２の全体がカード挿入部４の内部に取り込まれるまで、妨害磁界発生機構１１が妨害磁界を発生させる。また、カード挿入口３からカード２が排出される際には、たとえば、ユーザによるカード２の引抜きが可能となる位置まで搬送されたカード２がユーザによって引き抜かれるまで、妨害磁界発生機構１１が妨害磁界を発生させる。
【００４３】
（本形態の主な効果）
以上説明したように、本形態では、妨害磁界発生機構１１が発する磁気を遮るための磁気遮蔽部材１２が、カード移動路６を移動するカード２の磁気ストライプ２ａと妨害磁界発生機構１１との間に配置されている。そのため、本形態では、妨害磁界発生機構１１が発生させる妨害磁界の強度を高めても、磁気ストライプ２ａに記録された磁気データに妨害磁界が及ぼす影響を磁気遮蔽部材１２によって低減することが可能になる。したがって、本形態では、妨害磁界発生機構１１が発生させる妨害磁界の強度を高めても、磁気ストライプ２ａに記録された磁気データが消去されるおそれを低減することが可能になる。
【００４４】
本形態では、上下方向から見たときに、妨害磁界発生機構１１の一部と重なっている磁気遮蔽部材１２の前後方向の長さは、妨害磁界発生機構１１の前後方向の長さよりも長くなっている。また、本形態では、磁気遮蔽部材１２の前端は、妨害磁界発生機構１１の前端と前後方向で同じ位置に配置され、磁気遮蔽部材１２の後端は、妨害磁界発生機構１１の後端よりも後ろ側に配置されている。すなわち、本形態では、上下方向から見たときに、妨害磁界発生機構１１の一部の前後方向の全体が磁気遮蔽部材１２と重なっている。
【００４５】
そのため、本形態では、妨害磁界発生機構１１が発生させる妨害磁界の強度を高めても、磁気ストライプ２ａに記録された磁気データに妨害磁界が及ぼす影響を磁気遮蔽部材１２によって効果的に低減することが可能になる。したがって、本形態では、妨害磁界発生機構１１が発生させる妨害磁界の強度を高めても、磁気ストライプ２ａに記録された磁気データが消去されるおそれを効果的に低減することが可能になる。
【００４６】
また、本形態では、磁気遮蔽部材１２の左右方向の幅は、磁気ストライプ２ａの左右方向の幅と等しくなっており、磁気遮蔽部材１２は、上下方向から見たときに、カード移動路６を移動するカード２の磁気ストライプ２ａの左右方向の全体と重なる位置に配置されている。そのため、本形態では、妨害磁界発生機構１１が発生させる妨害磁界の強度を高めても、磁気ストライプ２ａに記録された磁気データに妨害磁界が及ぼす影響を磁気遮蔽部材１２によって効果的に低減することが可能になる。したがって、本形態では、妨害磁界発生機構１１が発生させる妨害磁界の強度を高めても、磁気ストライプ２ａに記録された磁気データが消去されるおそれを効果的に低減することが可能になる。
【００４７】
また、本形態では、磁気遮蔽部材１２の左右方向の幅が磁気ストライプ２ａの左右方向の幅と等しくなっているため、磁気遮蔽部材１２の左右方向の幅が磁気ストライプ２ａの左右方向の幅よりも広くなっている場合と比較して、スキミングを阻止するための妨害磁界の強度が磁気遮蔽部材１２の影響で低下するのを抑制することが可能になる。
【００４８】
本形態では、磁気遮蔽部材１２に、妨害磁界発生機構１１の後端の一部を覆う立上部１２ｂが形成されている。そのため、本形態では、立上部１２ｂを利用して、妨害磁界発生機構１１の後ろ側で磁気ストライプ２ａの磁気データに妨害磁界が及ぼす影響を効果的に低減することが可能になる。したがって、本形態では、妨害磁界発生機構１１が発生させる妨害磁界の強度を高めても、磁気ストライプ２ａに記録された磁気データが消去されるおそれを効果的に低減することが可能になる。
【００４９】
本形態では、磁気遮蔽部材１２に、基部１２ａの前端から上側に向かって立ち上がる立上部は形成されておらず、妨害磁界発生機構１１の前端は磁気遮蔽部材１２に覆われていない。図１、図２に示すように、スキミング用磁気ヘッド５０は、カードリーダ１の前方に取り付けられることが多いが、本形態では、妨害磁界発生機構１１の前端が磁気遮蔽部材１２に覆われていないため、スキミングを阻止するための妨害磁界の強度が磁気遮蔽部材１２の影響で低下するのを抑制することが可能になる。
【００５０】
本形態では、磁気遮蔽部材１２は、妨害磁界発生機構１１に固定されている。そのため、本形態では、カードリーダ１の組立時に、予め磁気遮蔽部材１２が固定された妨害磁界発生機構１１を設置すれば、磁気遮蔽部材１２も設置されるため、磁気遮蔽部材１２の設置が容易になる。
【００５１】
（他の実施の形態）
上述した形態は、本発明の好適な形態の一例ではあるが、これに限定されるものではなく本発明の要旨を変更しない範囲において種々変形実施が可能である。
【００５２】
上述した形態において、妨害磁界発生機構１１および磁気遮蔽部材１２は、カード移動路６より下側に配置されていても良い。この場合であっても、磁気遮蔽部材１２の基部１２ａは、上下方向においてカード移動路６と妨害磁界発生機構１１との間に配置されている。また、上述した形態において、磁気遮蔽部材１２に立上部１２ｂが形成されていなくても良い。すなわち、磁気遮蔽部材１２は、基部１２ａのみによって構成されていても良い。この場合には、磁気遮蔽部材１２の全体が、上下方向においてカード移動路６と妨害磁界発生機構１１との間に配置されている。
【００５３】
上述した形態において、磁気遮蔽部材１２の左右方向の幅は、磁気ストライプ２ａの左右方向の幅より広くなっていても良い。また、上述した形態において、磁気遮蔽部材１２は、上下方向から見たときに、カード移動路６を移動するカード２の磁気ストライプ２ａの左右方向の一部と重なる位置に配置されていても良い。また、上述した形態において、磁気遮蔽部材１２の左右方向の幅は、磁気ストライプ２ａの左右方向の幅より狭くなっていても良い。
【００５４】
上述した形態において、磁気遮蔽部材１２の前端は、妨害磁界発生機構１１の前端より前側に配置されていても良い。ただし、スキミングを阻止するための妨害磁界の強度が磁気遮蔽部材１２の影響で低下するおそれがあるため、磁気遮蔽部材１２の前端は、妨害磁界発生機構１１の前端と前後方向で同じ位置に配置されていることが好ましい。また、磁気遮蔽部材１２の前端は、妨害磁界発生機構１１の前端より後ろ側に配置されていても良い。
【００５５】
上述した形態において、磁気遮蔽部材１２に立上部１２ｂが形成されていないのであれば、磁気遮蔽部材１２の後端は、妨害磁界発生機構１１の後端と前後方向で同じ位置に配置されていても良いし、妨害磁界発生機構１１の後端より前側に配置されていても良い。また、上述した形態において、磁気遮蔽部材１２の前後方向の長さは、妨害磁界発生機構１１の前後方向の長さと等しくなっていても良いし、妨害磁界発生機構１１の前後方向の長さより短くなっていても良い。
【００５６】
上述した形態において、上下方向から見たときに、磁気遮蔽部材１２の全体が妨害磁界発生機構１１の一部と重なるように磁気遮蔽部材１２が形成されていても良い。また、上下方向から見たときに、磁気遮蔽部材１２の一部が妨害磁界発生機構１１の全体と重なるように磁気遮蔽部材１２が形成されていても良いし、磁気遮蔽部材１２の全体が妨害磁界発生機構１１の全体と重なるように磁気遮蔽部材１２が形成されていても良い。ただし、上下方向から見たときに、妨害磁界発生機構１１の全体が磁気遮蔽部材１２と重なっていると、スキミングを阻止するための妨害磁界の強度が磁気遮蔽部材１２の影響で大幅に低下するおそれがあるため、上下方向から見たときに、妨害磁界発生機構１１の一部が磁気遮蔽部材１２と重なっている方が好ましい。
【００５７】
上述した形態において、第１〜第４コア部分１５ａ〜１５ｄの後端は、連結コア部１５ｅによって繋がれていなくても良い。また、上述した形態において、妨害磁界発生機構１１は、棒状に形成される１本のコアと、このコアに巻回される１個のコイルとから構成されていても良いし、棒状に形成される２本のコアと、このコアに巻回される２個のコイルとから構成されていても良い。さらに、上述した形態において、磁気遮蔽部材１２は、妨害磁界発生機構１１に固定されていなくても良い。また、上述した形態において、妨害磁界発生機構１１は、ケース体２０を備えていなくても良い。
【００５８】
上述した形態では、カード２の裏面に磁気ストライプ２ａが形成されているが、カード２のおもて面に磁気ストライプが形成されても良い。また、上述した形態では、カードリーダ１は、駆動ローラ８およびパッドローラ９を備えるカード搬送式のカードリーダであるが、本発明の構成が適用されるカードリーダは、ユーザが手動でカード２を移動させながら、磁気データの読取りや記録を行う手動式のカードリーダであっても良い。
【符号の説明】
【００５９】
１  カードリーダ
２  カード
２ａ  磁気ストライプ
３  カード挿入口
６  カード移動路
１１  妨害磁界発生機構
１２  磁気遮蔽部材
１２ａ  基部
１２ｂ  立上部
Ｘ  カードの移動方向、前後方向
Ｘ１  前方向
Ｘ２  後ろ方向
Ｙ  カードの幅方向
Ｚ  カードの厚さ方向
【図１】
2019053648.tif 000003
【図２】
2019053648.tif 000004
【図３】
2019053648.tif 000005